(57)【要約】【課題】エネルギー効率のよい蓄熱運転を実現する蓄熱装置を提供すること。【解決手段】潜熱蓄熱材（１、１ａ、１ｂ、１ｃ）と熱媒体とが熱交換する蓄熱手段２、及び、熱媒体を加熱する加熱手段８が配管（１４、１５）によって環状に接続された蓄熱回路４と、少なくとも、加熱手段８で熱媒体を所定の加熱温度まで加熱して、加熱された熱媒体によって蓄熱手段２への蓄熱を行う蓄熱運転を実行する制御装置２５と、を備え、制御装置２５は、蓄熱運転中に、潜熱蓄熱材（１、１ａ、１ｂ、１ｃ）への蓄熱状態に応じて、加熱温度を低下させる期間を設けることにより、加熱手段８に戻る熱媒体の温度上昇を抑制して、エネルギー効率を向上させることができる。【選択図】図１
2015175582.tif 000002
【特許請求の範囲】
【請求項１】
潜熱蓄熱材と熱媒体とが熱交換する蓄熱手段、及び、前記熱媒体を加熱する加熱手段が配管によって環状に接続された蓄熱回路と、
少なくとも、前記加熱手段で前記熱媒体を所定の加熱温度まで加熱して、加熱された前記熱媒体によって前記蓄熱手段への蓄熱を行う蓄熱運転を実行する制御装置と、を備え、
前記制御装置は、前記蓄熱運転中に、前記蓄熱手段への蓄熱状態に応じて、前記加熱温度を低下させる期間を設けることを特徴とする蓄熱装置。
【請求項２】
前記蓄熱手段は、融点の異なる複数の潜熱蓄熱材を有し、
前記熱媒体は、前記蓄熱運転において、前記複数の潜熱蓄熱財を高融点の前記潜熱蓄熱材から低融点の前記潜熱蓄熱材へと順に熱交換するように、前記蓄熱手段を流れ、
前記制御装置は、前記加熱温度が、蓄熱対象となる前記潜熱蓄熱材の融点のうち最も高い第１融点よりも高い温度となるように前記熱媒体を加熱し、
前記制御装置は、前記蓄熱運転中に、前記蓄熱手段への蓄熱状態に応じて、前記加熱温度を、前記第１融点よりも高い温度の範囲で、低下させる期間を設けることを特徴とする請求項１に記載の蓄熱装置。
【請求項３】
前記制御装置は、前記蓄熱運転において、前記蓄熱手段への蓄熱状態に応じて、前記蓄熱手段に流入する前記熱媒体の流量を低下させる期間を設けることを特徴とする請求項１または２に記載の蓄熱装置。
【請求項４】
前記加熱手段は、圧縮機、冷媒と前記熱媒体とが熱交換する熱媒体熱交換器、減圧手段、熱源側熱交換器が冷媒配管で環状に接続されたヒートポンプ装置であることを特徴とする請求項１から３のいずれか１項に記載の蓄熱装置。
【請求項５】
前記請求項１から４のいずれか１項に記載の蓄熱装置を備え、
前記制御装置は、前記蓄熱装置に蓄えられた熱によって熱利用端末に供給する熱媒体を加熱する加熱運転を実行することを特徴とする温水生成装置。
【発明の詳細な説明】
【技術分野】
【０００１】
本発明は、蓄熱手段を備えた温水生成装置に関するものである。
【背景技術】
【０００２】
従来、蓄熱装置として、異なる融点を持つ複数の潜熱蓄熱材を用い、蓄熱材を融点が高いものから低いものに、順に配置した蓄熱装置が知られている（例えば、特許文献１参照）。
【０００３】
この蓄熱装置は、蓄熱時には、流体を融点の高い蓄熱材から融点の低い蓄熱材へと流す。よって、蓄熱装置の内部で流体が蓄熱材に放熱し、流体の温度が低下しても、下流側の蓄熱材の融点が低いので、流体と蓄熱材の蓄熱温度との温度差を所定温度差に保つことができる。その結果、蓄熱装置の蓄熱量を増大させることができる。
【０００４】
また、この蓄熱装置は、放熱時、すなわち熱利用時には、流体を融点の低い蓄熱材から融点の高い蓄熱材へと流して所定温度の流体を生成する。よって、蓄熱材の内部で流体が蓄熱材から吸熱し、流体の温度が上昇しても、下流側の蓄熱材の融点が高いので、流体と蓄熱材の蓄熱温度との温度差を一定に保つことができる。その結果、流体の吸熱量を増大させることができる。
【０００５】
さらに、従来、蓄熱装置を用いた温水生成装置として、蓄熱装置に加えてヒートポンプ熱源を備えたものがある（例えば、特許文献２参照）。
【０００６】
この温水生成装置は、蓄熱時には、ヒートポンプ熱源にて加熱した熱媒体を、高温蓄熱材、低温蓄熱材の順に流通させ、蓄熱材への蓄熱を行う。また、熱利用時には、熱媒体を低温蓄熱材、高温蓄熱材の順に流通させ、熱媒体を加熱する。加熱された熱媒体は、給湯端末などに供給される。
【先行技術文献】
【特許文献】
【０００７】
【特許文献１】特開昭５８−３３０９７号公報
【特許文献２】特許第３９０３８０４号公報
【発明の概要】
【発明が解決しようとする課題】
【０００８】
前記従来の構成では、潜熱蓄熱材に流入させる熱媒体の温度の制御については特に記載されていない。ここで、潜熱蓄熱材への蓄熱を行う場合、蓄熱が進むにつれて、蓄熱装置から流出する熱媒体の温度が上昇する。特に、潜熱蓄熱材の相変化が終了し、顕熱領域での熱交換が行われるようになると、潜熱領域と比較して、単位時間当たりの潜熱蓄熱材の吸熱量が次第に減少し、蓄熱装置から流出する熱媒体の温度が上昇する。そのため、潜熱蓄熱材に流入させる高温の熱媒体が有する熱量を十分に活用して蓄熱を行うことができず、また、熱媒体を加熱する加熱手段のエネルギー効率が低下してしまうという課題を有していた。
【０００９】
本発明は、上記課題を解決するもので、加熱手段によって加熱した熱媒体の熱量を有効に用いて蓄熱を行うことが可能な、省エネルギー性に優れた蓄熱装置及びそれを備えた温水生成装置を提供することを目的とする。
【課題を解決するための手段】
【００１０】
前記従来の課題を解決するために、本発明の蓄熱装置は、潜熱蓄熱材と熱媒体とが熱交換する蓄熱手段、及び、前記熱媒体を加熱する加熱手段が配管によって環状に接続された蓄熱回路と、少なくとも、前記加熱手段で前記熱媒体を所定の加熱温度まで加熱して、加熱された前記熱媒体によって前記蓄熱手段への蓄熱を行う蓄熱運転を実行する制御装置と、を備え、前記制御装置は、前記蓄熱運転中に、前記蓄熱手段への蓄熱状態に応じて、前記加熱温度を低下させる期間を設けることを特徴とするものである。
【００１１】
これにより、潜熱蓄熱材の蓄熱状態に応じて、蓄熱に必要な熱量を持つ熱媒体を加熱手段によって生成するので、熱量を有効に利用することができる。
【発明の効果】
【００１２】
本発明によれば、加熱手段のエネルギー効率を高く維持しながら蓄熱装置への蓄熱を行うことができるので、省エネルギー性に優れた蓄熱装置及びそれを備えた温水生成装置を提供することができる。
【図面の簡単な説明】
【００１３】
【図１】本発明の実施の形態１における蓄熱装置を備えた温水生成装置の概略構成図
【図２】同蓄熱装置に蓄熱を行った場合の潜熱蓄熱材の温度変化を示すグラフ
【図３】同蓄熱装置の蓄熱運転の制御フローチャート
【図４】本発明の実施の形態２における蓄熱装置を備えた温水生成装置の概略構成図
【図５】同温水生成装置において蓄熱運転と加熱運転とを行ったときの蓄熱手段の温度分布を示すグラフ
【発明を実施するための形態】
【００１４】
第１の発明は、潜熱蓄熱材と熱媒体とが熱交換する蓄熱手段、及び、前記熱媒体を加熱する加熱手段が配管によって環状に接続された蓄熱回路と、少なくとも、前記加熱手段で前記熱媒体を所定の加熱温度まで加熱して、加熱された前記熱媒体によって前記蓄熱手段への蓄熱を行う蓄熱運転を実行する制御装置と、を備え、前記制御装置は、前記蓄熱運転中に、前記蓄熱手段への蓄熱状態に応じて、前記加熱温度を低下させる期間を設けることを特徴とする蓄熱装置である。
【００１５】
これにより、潜熱蓄熱材の蓄熱状態に応じて、蓄熱に必要な熱量を持つ熱媒体を加熱手段によって生成するので、熱量を有効に利用することができる。また、蓄熱に必要な熱量を持つ熱媒体を加熱手段によって生成するので、蓄熱手段から流出し、再度、加熱手段へと流入する熱媒体の温度を低く維持することができる。よって、加熱手段で熱媒体を加熱するときの熱交換効率を高く維持できる。その結果、加熱手段のエネルギー効率を高く維持しながら蓄熱装置への蓄熱を行うことができるので、省エネルギー性に優れた蓄熱装置を提供することができる。
【００１６】
なお、制御装置は、蓄熱運転において、蓄熱手段の蓄熱量が所定量を超えた場合に、加熱温度を低下させる期間を設けることとしてもよい。蓄熱手段への蓄熱量は、蓄熱運転の経過時間、または、蓄熱手段から流出する熱媒体の温度等に基づいて決定することができる。また、制御装置は、蓄熱手段から流出する熱媒体の温度が相対的に高い場合に、加熱温度を低下させる期間を設けることとしてもよい。また、制御装置は、蓄熱手段から流出する熱媒体の温度が所定温度以上となった場合に加熱温度を低下させる期間を設けていてもよい。以上のように、潜熱蓄熱材への蓄熱が進行し、潜熱蓄熱材の熱媒体からの吸熱量が減少し、蓄熱手段から流出する熱交換後の熱媒体の温度が上昇することに対応して、加熱温度を低下させる期間を設ける。これにより、加熱手段のエネルギー効率を高く維持しながら蓄熱装置への蓄熱を行うことができるので、省エネルギー性に優れた蓄熱装置を提
供することができる。
【００１７】
第２の発明は、特に第１の発明において、前記蓄熱手段は、融点の異なる複数の潜熱蓄熱材を有し、前記熱媒体は、前記蓄熱運転において、前記複数の潜熱蓄熱財を高融点の前記潜熱蓄熱材から低融点の前記潜熱蓄熱材へと順に熱交換するように、前記蓄熱手段を流れ、前記制御装置は、前記加熱温度が、蓄熱対象となる前記潜熱蓄熱材の融点のうち最も高い第１融点よりも高い温度となるように前記熱媒体を加熱し、前記制御装置は、前記蓄熱運転中に、前記蓄熱手段への蓄熱状態に応じて、前記加熱温度を、前記第１融点よりも高い温度の範囲で、低下させる期間を設けることを特徴とするものである。
【００１８】
これにより、蓄熱手段から流出する熱媒体の出口温度を低く抑えることができ、よって、加熱手段に戻る熱媒体の温度も低下するので、加熱手段で熱媒体を加熱するときの熱交換効率を高く維持できる。
【００１９】
第３の発明は、特に第１または第２の発明において、前記制御装置は、前記蓄熱運転において、前記潜熱蓄熱材への蓄熱状態に応じて、前記蓄熱手段に流入する前記熱媒体の流量を低下させる期間を設けることを特徴とするものである。
【００２０】
これにより、潜熱蓄熱材の蓄熱状態に応じて、蓄熱に必要な熱量を持つ熱媒体を、必要な流量で用いることができる。よって、熱媒体と潜熱蓄熱材との温度差が小さい場合でも、熱媒体の潜熱蓄熱材への放熱量を増大させることができるので、蓄熱手段から流出する熱媒体の温度を低く保つことができる。その結果、加熱手段に流入する熱媒体の温度（戻り温度）も低下するので、加熱手段が熱媒体を加熱する際のエネルギー効率を高く維持することができる。
【００２１】
第４の発明は、特に第１から第３の発明において、前記加熱手段は、圧縮機、冷媒と前記熱媒体とが熱交換する熱媒体熱交換器、減圧手段、熱源側熱交換器が冷媒配管で環状に接続されたヒートポンプ装置であることを特徴とするものである。
【００２２】
これにより、冷媒の熱媒体熱交換器（放熱器）の入口・出口間のエンタルピー差が大きくなるので、ヒートポンプのエネルギー効率を高く維持することができる。
【００２３】
第５の発明は、特に第１から第４のいずれかの蓄熱装置を備え、前記制御装置は、前記蓄熱装置に蓄えられた熱によって熱利用端末に供給する熱媒体を加熱する加熱運転を実行することを特徴とすることを特徴とする温水生成装置である。
【００２４】
これにより、省エネルギー性に優れた蓄熱装置を提供することができる。
【００２５】
以下本発明の実施の形態について、図面を参照しながら説明する。なお、本実施の形態によって、本発明が限定されるものではない。
【００２６】
（実施の形態１）
図１は、本実施の形態における蓄熱装置５０及びそれを備えた温水生成装置１００の構成図である。この蓄熱装置５０は、熱媒体として水が循環する熱媒体回路４と、熱媒体を加熱する加熱手段８とを備えている。また、熱媒体回路４には、潜熱蓄熱材１を有する蓄熱手段２が設けられている。蓄熱手段２と熱媒体とが熱交換することで、蓄熱手段２への蓄熱が行われる。蓄熱装置５０は、加熱手段８によって加熱されて熱媒体回路４を流れる熱媒体により、潜熱蓄熱材への蓄熱を行う蓄熱運転が可能な構成である。
【００２７】
蓄熱装置４に、熱媒体回路４と接続され、熱媒体回路４に熱媒体を供給する熱媒体を供
給する給水配管１２が接続されて、給水配管１２から供給される熱媒体を潜熱蓄熱材１が有する熱によって加熱する加熱運転の実行が可能な構成として温水生成装置１００が構成される。
【００２８】
すなわち、温水生成装置は、熱媒体回路４に接続された給水配管１２から供給された水を加熱手段８および／または蓄熱手段２によって加熱して温水を生成することができる。生成された温水は、蓄熱手段２への蓄熱に用いることができる。また、生成された温水は、熱媒体回路４に接続された給湯配管１３から、カラン、浴槽、暖房端末等の熱利用端末に供給される。
【００２９】
本実施の形態における加熱手段８は、圧縮機７、熱媒体熱交換器（放熱器）３、減圧手段（膨張弁）５、熱源側熱交換器（蒸発器）６が順に冷媒配管で環状に接続されて構成されたヒートポンプ装置である。熱媒体熱交換器３は、冷媒が流れる冷媒流路（図示せず）と熱媒体が流れる熱媒体流路（図示せず）とを備えている。熱媒体熱交換器３において、冷媒流路を流れる冷媒と熱媒体流路を流れる熱媒体とが熱交換を行う。熱源側熱交換器６は、蒸発器として機能する。本実施の形態において、熱源側熱交換器６は、ヒートポンプ装置を流れる冷媒と空気とが熱交換する空気熱交換器である。本実施の形態の加熱手段８は、熱源側熱交換器６に送風するためのファン（図示せず）を備えている。冷媒としては、二酸化炭素やＨＦＣ冷媒が用いられる。
【００３０】
なお、加熱手段８としては、熱媒体を加熱する機能を有するものであればヒートポンプ装置に限られない。加熱手段８には、例えば、燃焼機や電気ヒータを用いることができる。
【００３１】
熱媒体回路４は、蓄熱手段２、熱媒体熱交換器３、流量調整手段（１０、１１）が水配管（１４、１５）によって環状に接続されて構成されている。熱媒体回路４には、一端から水道管から水が流入する給水配管１２と、一端から浴槽やカラン等の給湯端末（図示せず）、または、床暖房パネル等の暖房端末（図示せず）等の熱利用端末に温水を供給する給湯配管１３とが接続されている。熱媒体回路４は、熱媒体熱交換器３が配設される加熱配管１４と、蓄熱手段２が配設される蓄熱配管１５とを備えている。
【００３２】
給水配管１２の他端は、第１流量調整手段（第１流量調整弁）１０に接続されている。第１流量調整手段には、加熱配管１４の一端と蓄熱配管１５の一端とが接続されている。給湯配管１３の他端は、第２流量調整手段（第２流量調整弁）１１に接続されている。第２流量調整手段１１には、加熱配管１４の他端と蓄熱配管１５の他端とが接続されている。これにより、給水配管１２と給湯配管１３との間で、熱媒体熱交換器３と蓄熱手段２とは並列に配置される。また、加熱配管１４と蓄熱配管１５とは、流量調整手段（１０、１１）を介して環状に接続されているので、熱媒体回路４は蓄熱回路として機能する。蓄熱回路には、熱媒体を循環させる搬送手段としてのポンプ９が設けられる。ポンプ９は蓄熱回路のうち、第１流量調整手段１０と熱媒体熱交換器３との間の加熱配管１４に設けられていることが好ましい。
【００３３】
第１流量調整手段１０は、給水配管１２、加熱配管１４、蓄熱配管１５を流れる水の流量を調整する。また、第２流量調整弁１１は、加熱配管１４、蓄熱配管１５、給湯配管１３を流れる水の流量を調整する。
【００３４】
蓄熱手段２は、潜熱蓄熱材１と、熱媒体が流れる熱媒体流路を有し、熱媒体と潜熱蓄熱材１とが熱交換を行うものである。蓄熱手段２が保有する熱量により、熱媒体を加熱することができる。また、加熱された熱媒体によって蓄熱手段２に蓄熱することができる。
【００３５】
本実施の形態の蓄熱手段２は、潜熱蓄熱材１を有している。潜熱蓄熱材１としては、例えば、チオ硫酸ナトリウム５水和物、酢酸ナトリウム３水和物、硫酸ナトリウム１０水和物、硫酸ナトリウムｎ水和物（但し、ｎ：整数、ｎ＞１０）を用いることができる。なお、チオ硫酸ナトリウム５水和物の融点は４８℃、硫酸ナトリウム１０水和物の融点は３２℃である。なお、熱利用端末へと湯水を供給する温水生成装置１００として用いる場合、潜熱蓄熱材１として融点が５８℃の酢酸ナトリウム３水和物を用いることが好ましい。
【００３６】
次に、温水生成装置１００の動作について説明する。この温水生成装置１００は、加熱手段８で水を加熱して温水を生成し、生成された温水によって蓄熱手段２に蓄熱する蓄熱運転を実行することができる。また、この温水生成装置１００は、熱媒体を加熱して温水を生成する複数の加熱運転を実行することができる。複数の加熱運転は、蓄熱手段１５によって水を加熱する第１加熱運転、加熱手段８と蓄熱手段１５との双方を用いて水を加熱する第２加熱運転を含む。各運転の制御は、制御装置２５によって行われる。
【００３７】
蓄熱配管１５には、蓄熱手段２の両側にそれぞれ少なくとも１つの温度検出手段（２０、２１）が設けられている。温度検出手段（２０、２１）は、蓄熱配管１５を流れる熱媒体の温度を検出する。第１温度検出手段２０は、蓄熱手段２と第１流量調整手段１０との間の蓄熱配管１５に設けられ、第２温度検出手段２１は、蓄熱手段２と第２流量調整手段１１との間の蓄熱配管１５に設けられている。第１温度検出手段２０は、蓄熱運転において、蓄熱手段２に流入する熱媒体の温度（入口温度）を検出し、複数の加熱運転において、蓄熱手段２から流出する熱媒体の温度（出口温度）を検出する。一方、第２温度検出手段２１は、蓄熱運転において、蓄熱手段２から流出する熱媒体の温度（出口温度）を検出し、複数の加熱運転において、蓄熱手段２に流入する熱媒体の温度（入口温度）を検出する。さらに、蓄熱配管１５には、蓄熱配管１５を熱媒体の流量を検出する流量検出手段２２が設けられている。本実施の形態では、流量検出手段２２は、第２温度検出手段２１が設けられた側の蓄熱配管１５、すなわち、蓄熱運転において、潜熱蓄熱材１と熱交換後の熱媒体が流れる側の蓄熱配管１５に設けられている。
【００３８】
制御装置２５は、第１温度検出手段２０、第２温度検出手段２１、流量検出手段２２により検出された温度、流量に基づいて、加熱手段８の能力、加熱手段８による熱媒体の加熱温度、ポンプ９による熱媒体の流量の制御等を行う。
【００３９】
蓄熱運転において、制御装置２５は、図１の破線矢印の方向に水が流れるように、ポンプ９、第１流量調整弁１０と第２流量調整弁１１を制御する。これにより、水は、加熱配管１４と蓄熱配管１５とが環状に接続された蓄熱回路を循環する。
【００４０】
また、蓄熱運転において、制御装置２５は、圧縮機７、減圧手段５、ファンを制御して、熱媒体熱交換器３に高温高圧の冷媒を供給する。
【００４１】
熱媒体熱交換器３で高温高圧の冷媒と熱交換して生成され、所定の加熱温度まで加熱された高温の熱媒体（高温水）は、加熱配管１４を流れ、第２流量調整弁１１を介して蓄熱配管１５に流入する。蓄熱配管１５を流れる温水は、蓄熱手段２において、潜熱蓄熱材１と熱交換する。これにより、潜熱蓄熱材１に蓄熱が行われる。蓄熱手段２を流れる間に潜熱蓄熱材１に放熱して温度が低下した熱媒体（水）は、第１流量調整弁１０を介して加熱配管１４に流入し、熱媒体熱交換器３にて、再度加熱され温水となる。以上のような動作が繰り返され、熱媒体が蓄熱回路を循環することで蓄熱手段２への蓄熱が行われる。
【００４２】
蓄熱手段２に蓄熱された熱を用いて水を加熱し、温水を生成する第１加熱運転において、制御装置２５は、図１の実践矢印の方向に水が流れるように、第１流量調整弁１０と第２流量調整弁１１とを制御する。これにより、水は、給水配管１２、蓄熱配管１５、給湯
配管１３を順に流れる。蓄熱配管１５を流れる水は、蓄熱手段２において、潜熱蓄熱材１と熱交換して加熱される。蓄熱手段２で加熱されて生成された温水は、第２流量調整弁１１を介して給湯配管１３へと流れ、熱利用端末へと供給される。
【００４３】
加熱手段８と蓄熱手段１５との双方を用いて水を加熱し、温水を生成する第２加熱運転において、制御装置２５は、図１の一点鎖線矢印の方向に水が流れるように第１流量調整弁１０と第２流量調整弁とを制御する。このとき、ポンプ９を動作させてもよい。これにより、給水配管１２を流れた水は、第１流量調整手段１０を介して加熱配管１４と蓄熱配管１５との双方に分岐して流れる。加熱配管１４を流れる水は加熱手段８で加熱されて温水となり、蓄熱配管１５を流れる水は蓄熱手段２で加熱されて温水となる。加熱手段８で生成された温水と、蓄熱手段２で生成された温水とは、第２流量調整手段１１で混合され、給湯配管１３に流入する。
【００４４】
次に、蓄熱運転における、潜熱蓄熱材１の温度変化（相変化）、及び、潜熱蓄熱材１の蓄熱状態を加味した蓄熱運転時の制御について図２、図３を用いて説明する。この時、蓄熱手段２に流入させる熱媒体の温度（入口温度）は蓄熱手段２に内蔵されている潜熱蓄熱材１の融点より所定温度だけ高くする。
【００４５】
まず、蓄熱運転における潜熱蓄熱材１の温度変化（相変化）及びその温度分布について図２を用いて説明する。図２（ａ）は蓄熱運転における、潜熱蓄熱材１の温度変化（相変化）の時間経過を示す図である。図２（ａ）に示すように、潜熱蓄熱材１の内部の温度は図２（ａ）（１）から（５）のように変化する。図２（ｂ）は蓄熱運転を行ったときの蓄熱手段２から流出する熱媒体の温度（出口温度）の変化を示す図である。
【００４６】
蓄熱運転の開始時には潜熱蓄熱材１は、融点より低い温度で均一な状態になっているＵ２（ａ）（１）。加熱手段８によって加熱された高温の熱媒体が蓄熱手段２に流入すると、潜熱蓄熱材１の最も上流が顕熱領域で熱交換しながら蓄熱され、温度が上昇する（２）。その後、潜熱蓄熱材１の上流側から融点に到達し、潜熱領域での熱交換が行われ、蓄熱される図２（ａ）（３）。
【００４７】
潜熱蓄熱材１のうち潜熱領域で熱交換する領域が増大すると、潜熱蓄熱材１の下流側の部分が潜熱領域での熱交換を行う前に、上流側の部分が融点よりも温度が高い状態となり、顕熱領域での熱交換を開始する場合がある図２（ａ）（４）。その後、潜熱蓄熱材１の全領域が融点以上の温度となり、潜熱領域での蓄熱が完了し、潜熱蓄熱材１が顕熱領域に入って温度上昇して、熱媒体の入口温度に近づいていく図２（ａ）（５）。なお、図２（ａ）（４）の過程を経ず、潜熱蓄熱材１の全体が潜熱領域となった後に、上流側の部分が融点よりも温度が高い顕熱領域となる場合もある。
【００４８】
このとき、蓄熱手段２の出口温度は、図２（ｂ）に示すように、潜熱蓄熱材１への蓄熱量が増大するにつれて次第に上昇する。ここで、蓄熱手段２から流出する熱媒体の出口温度は、潜熱蓄熱材１が顕熱領域にある場合図２（ａ）（１）〜（３）、（４）〜（５）に上昇幅が大きく、潜熱蓄熱材１が潜熱領域にある場合図２（ａ）（３）〜（４）に小さい。なお、潜熱蓄熱材１が潜熱領域にある場合図２（ａ）（３）〜（４）にはほぼ一定の温度となる。
【００４９】
潜熱蓄熱材１は、その融点における潜熱比熱が顕熱比熱に比べ非常に大きく、この潜熱比熱を利用することにより高密度の蓄熱が可能であり、融点を超えた後は温度上昇させることは好ましくない。したがって、本実施の形態では、制御装置２５は、蓄熱運転において、蓄熱手段２に流入する熱媒体の温度（加熱手段８で加熱される熱媒体の加熱温度）を、潜熱蓄熱材１の蓄熱状態に応じて低下させる期間を設ける。すなわち、潜熱蓄熱材１の
上流側の部分の温度が融点以上、若しくは、融点よりも高くなった場合に、蓄熱手段２に流入する熱媒体の温度を低下させることにより、図２（ａ）（４）（５）に示す、蓄熱手段２の上流側部分の温度上昇を抑制し、熱媒体の持つ熱量を有効活用した蓄熱運転が可能となる。また、蓄熱手段２の出口温度の上昇も抑制することができる。
【００５０】
なお、制御装置２５は、蓄熱運転において、潜熱蓄熱材１の蓄熱量が所定量を超えた場合に、加熱温度を低下させる期間を設けることとしてもよい。潜熱蓄熱材１への蓄熱量は、蓄熱運転の経過時間、または、蓄熱手段２から流出する熱媒体の温度等に基づいて算出、推定することができる。また、制御装置２５は、蓄熱手段２から流出する熱媒体の温度が相対的に高い場合に、加熱温度を低下させる期間を設けていてもよい。また、制御装置２５は、蓄熱手段２から流出する熱媒体の温度が所定温度以上となった場合に加熱温度を低下させる期間を設けていてもよい。以上のように、潜熱蓄熱材１への蓄熱が進行し、潜熱蓄熱材１の熱媒体からの吸熱量が減少することに対応して、加熱温度を低下させる期間を設けることで、熱媒体の持つ熱量を有効活用した蓄熱運転が可能となる。
【００５１】
また、蓄熱手段２の出口温度の上昇を抑制することができるので、加熱手段８に流入する熱媒体の温度も低く維持することができる。したがって、ヒートポンプ装置の加熱効率が向上し、省エネルギー性に優れた蓄熱装置５０及びそれを備えた温水生成装置１００を実現することができる。
【００５２】
ここで、蓄熱運転において、蓄熱手段２に流入する熱媒体の温度（加熱手段８で加熱される熱媒体の加熱温度）を低下させることは、蓄熱手段２において、熱媒体と潜熱蓄熱材１との温度差が小さくなることを意味する。したがって、熱媒体から潜熱蓄熱材１への放熱量が小さくなる。そこで、蓄熱手段２に流入する熱媒体の温度を低下させる場合には、熱媒体の流量を、ポンプ９によって低減することが好ましい。これにより、流速が低下し、熱媒体と潜熱蓄熱材１とが接触する時間が長くなるので、熱媒体と潜熱蓄熱材１との熱交換量を増大させることができる。また、これにより、蓄熱手段２の熱媒体の出口温度をさらに低く維持することができる。
【００５３】
次に、蓄熱運転の制御フローについて図３を用いて説明する。制御装置２５は、加熱手段８とポンプ９との運転を開始し、蓄熱運転をスタートさせる（Ｓ１）。加熱手段８の冷凍サイクルの状態が安定するまでは十分な加熱能力が得られないため、熱媒体の流量は、冷凍サイクルの状態が安定するまでは、後述の定常動作よりも流量の少ない最低の流量（初期流量）とすることが好ましい。次に、流量検出手段２２で検出された流量が、初期流量よりも大きい所定流量Ｆ１であるか否かを判断する（Ｓ２）。検出流量が所定流量と異なる、すなわち、検出流量が所定流量未満の場合（Ｓ２でＮｏ）には、Ｓ３に進む、検出流量が所定流量以上の場合（Ｓ２でＹｅｓ）には、Ｓ５に進む。なお、蓄熱運転の開始直後は、初期流量であるから、検出流量は所定流量Ｆ１よりも小さくなる。
【００５４】
Ｓ２での検出流量が所定流量未満の場合には、次に、第１温度検出手段２０により蓄熱手段２に流入する熱媒体の入口温度を検出し（Ｓ３）、初期運転を終了してもよいか否かを判定するための所定温度Ｔ１と入口温度とを比較する（Ｓ４）。所定温度Ｔ１以上であれば（Ｓ４でＹｅｓ）、熱媒体の流量を増大させる（Ｓ４）。一方、所定温度Ｔ１未満であれば（Ｓ４でＮｏ）、そのままの運転を継続する。以上の動作を、流量検出手段２２により検出される熱媒体の流量が所定流量となるまで継続する。これが初期動作となる。なお、初期動作は必ずしもこれと同一の順序で行われる必要はなく、また、初期動作を経ずして、後述する定常動作を開始してもよい。
【００５５】
流量検出手段２２による検出流量が所定流量以上になると（Ｓ２でＹｅｓ）、定常動作へと移行する。定常動作において、制御装置２５は、加熱手段８によって加熱される熱媒
体の温度、すなわち、蓄熱手段２に流入する熱媒体の入口温度が、潜熱蓄熱材１の融点Ｔ３よりも所定温度（例えば１０から２０℃）高い温度Ｔｇとなるように、加熱手段８とポンプ９とを制御する（Ｓ５）。すなわち、所定温度Ｔｇは、蓄熱運転において、加熱手段８によって加熱される熱媒体の目標温度（加熱温度）となる。このとき、加熱手段８がヒートポンプ装置である場合には、減圧手段５、圧縮機７、ファン（図示せず）などは、制御装置２５により、外気温度等の条件に応じて適宜制御される。
【００５６】
次に、制御装置２５は、第２温度検出手段２１により検出された熱媒体の出口温度が、蓄熱温度を終了するための所定温度Ｔｅになると（Ｓ６でＹｅｓ）、加熱手段８及びポンプ９を停止して、蓄熱運転を終了する。一方、第２温度検出手段２１により検出された熱媒体の出口温度が、蓄熱温度を終了するための所定温度Ｔｅ未満の場合には（Ｓ６でＮｏ）、潜熱蓄熱材１の蓄熱状態に応じた終了動作の必要可否を判別するため、Ｓ７に進む。
【００５７】
Ｓ７では、第２温度検出手段２１により検出された熱媒体の出口温度が、所定温度Ｔ２以上であるか否かの判定を行う（Ｓ７）。所定温度Ｔ２は、所定温度Ｔ１よりも高い温度であって、かつ、所定温度Ｔｅよりも所定温度（例えば１０℃）低い温度である。所定温度Ｔ２は、蓄熱手段２に流入させる熱媒体の温度を低下させるか否かの判断に用いる温度である。第２温度検出手段２１により検出された熱媒体の出口温度が所定温度Ｔ２未満である場合（Ｓ７でＮｏ）には、Ｓ６に戻る。この間、潜熱蓄熱材１への蓄熱が進行する。
【００５８】
第２温度検出手段２１により検出された熱媒体の出口温度が所定温度Ｔ２以上である場合（Ｓ７でＹｅｓ）には、潜熱蓄熱材１への蓄熱が進行し、蓄熱手段２の熱媒体の入口温度を低下させる期間を設けるのに適した状態になったと判断してＳ８に進む。Ｓ８では、第１温度検出手段２０により検出された温度と、潜熱蓄熱材１の融点Ｔ３よりも所定温度（例えば５℃）高い温度Ｔ４とを比較する。ここで、所定温度Ｔ４は、所定温度Ｔｇよりも低い温度であることが好ましい。
【００５９】
第１温度検出手段２０で検出された温度が所定温度Ｔ４以上である場合（Ｓ８でＹｅｓ）には、次に、加熱手段８の加熱能力が所定加熱能力よりも大きいかどうかを判定する（Ｓ９）。一方、第１温度検出手段２０で検出された温度が、所定温度Ｔ４未満である場合（Ｓ８でＮｏ）は、Ｓ１１に進む。ここで、所定加熱能力とは、加熱手段８が実現できる最低の加熱能力よりも所定能力高い値であることが好ましい。
【００６０】
加熱手段８の加熱能力が所定加熱能力以上であれば（Ｓ９でＹｅｓ）、加熱手段８の加熱能力を減少させる（Ｓ１０）。ここで、加熱手段８が燃焼機である場合には、燃料供給を小さくする。加熱手段８が電気ヒータである場合には、電気ヒータへの供給電力を小さくする。加熱手段８がヒートポンプ装置である場合には、圧縮機７の吐出温度を低くするおよび／または冷媒循環量を少なくすることにより、加熱能力を小さくして、蓄熱手段２の入口温度を下げることができる。
【００６１】
なお、Ｓ９及びＳ１０の代替として、ポンプ９による熱媒体の搬送量（蓄熱回路を流れる熱媒体の流量）を増大させることにより、蓄熱手段２の熱媒体の入口温度を下げてもよい。また、加熱能力の低減と熱媒体の搬送量の増大との双方によって、蓄熱手段２の熱媒体の入口温度を下げてもよい。
【００６２】
これにより、図２（ａ）（４）（５）に示す、蓄熱手段２の上流側部分の温度上昇を抑制し、熱媒体の持つ熱量を有効活用した蓄熱運転が可能となる。また、蓄熱手段２の出口温度の上昇も抑制することができる。
【００６３】
Ｓ８で第１温度検出手段２０の検出温度がＴ４未満である場合、または、Ｓ９で加熱能
力が所定加熱能力未満である場合にはＳ１１に進む。Ｓ１１では、流量検出手段２２の検出流量が、所定流量Ｆ２以上であるか否かを判断する。ここで所定流量Ｆ２は、ポンプ９によって実現できる最低の流量よりも所定流量高い値である。検出流量が所定流量Ｆ２未満であれば（Ｓ１１でＮｏ）、Ｓ６に戻る。一方、検出流量が所定流量Ｆ２以上であれば（Ｓ１１でＹｅｓ）、Ｓ１２に進んで、ポンプ９によって熱媒体の流量を低減する。流量を低減した後は、Ｓ６へと進む。
【００６４】
これにより、蓄熱手段２の熱媒体の出口温度をさらに低く維持することができる。したがって、加熱手段８に流入する熱媒体の温度を低く維持して、加熱手段８での伝熱効率を向上させ、効率よく蓄熱運転を実現できる。その結果、省エネルギー性に優れた蓄熱装置５０及び温水生成装置１００を実現することができる。
【００６５】
以上の制御フローにより、蓄熱手段２から流出する熱媒体の温度が、蓄熱運転を終了させる温度（所定温度Ｔｅ）となるまで、蓄熱運転が行われる。
【００６６】
このように、蓄熱運転の開始から終了まで、熱媒体の蓄熱手段２の出口における熱媒体の温度（出口温度）の上昇を抑制することができ、これにより、加熱手段８に流入する熱媒体の温度が低下する。その結果、加熱手段８として燃焼機を用いる場合、燃焼ガスから熱媒体への伝熱による加熱であるので、熱媒体の温度が下がることで、伝熱効率が高くなる。また、加熱手段８が電気ヒータの場合、熱媒体の温度が下がればヒータ自体の温度が低下し、ヒータ本体や支持体から外部への放熱ロスが低減することにより加熱の効率が高くなる。
【００６７】
なお、本実施の形態においては、終了動作として、蓄熱手段２に流入する熱媒体の温度（入口温度）を低下させる動作と、熱媒体の流量を低下させる動作とを行ったが、少なくとも、いずれか一方を行えばよい。これにより、蓄熱運転が進行した場合でも、蓄熱手段２から流出する熱媒体の温度（出口温度）の上昇を抑制することができ、エネルギー効率のよい蓄熱運転を実現することができる。
【００６８】
また、本実施の形態では、蓄熱手段２に流入する熱媒体の温度（入口温度）を低下させる動作を、熱媒体の流量を低下させる動作よりも優先して行うようにしているが、優先度を逆にしてもよい。すなわち、Ｓ８において、検出流量と所定流量Ｆ２との比較を行って、検出流量＜所定流量Ｆ２の場合に、蓄熱手段２に流入する熱媒体の温度（入口温度）を低下させる動作を実行するように制御フローを構築してもよい。  （実施の形態２）
図４は、本実施の形態における蓄熱装置５０及び温水生成装置１００の構成図である。本実施の形態において、実施の形態１と同一の箇所については同一符号を付し、損詳細な説明は省略する。
【００６９】
本実施の形態の蓄熱装置５０及び温水生成装置１００は、熱媒体として水が循環する熱媒体回路４と、熱媒体を加熱する加熱手段８とを備えている。また、熱媒体回路４には、融点が異なる複数の潜熱蓄熱材（１ａ、１ｂ、１ｃ）を有する蓄熱手段２が設けられている。蓄熱手段２と熱媒体とが熱交換することで、蓄熱手段２への蓄熱、及び、熱媒体の加熱が行われる。
【００７０】
蓄熱手段２は、融点が異なる複数の潜熱蓄熱材（１ａ、１ｂ、１ｃ）と、熱媒体が流れる熱媒体流路を有し、熱媒体と潜熱蓄熱材（１ａ、１ｂ、１ｃ）とが熱交換を行うものである。蓄熱手段２が保有する熱量により、熱媒体を加熱することができる。また、加熱された熱媒体によって蓄熱手段２に蓄熱することができる。なお、潜熱蓄熱材は、
本実施の形態の蓄熱手段２は、融点が異なる３つの潜熱蓄熱材（１ａ、１ｂ、１ｃ）を有している。潜熱蓄熱材（１ａ、１ｂ、１ｃ）としては、例えば、チオ硫酸ナトリウム５
水和物、酢酸ナトリウム３水和物、硫酸ナトリウム１０水和物、硫酸ナトリウムｎ水和物（但し、ｎ：整数、ｎ＞１０）を用いることができる。なお、チオ硫酸ナトリウム５水和物の融点は４８℃、硫酸ナトリウム１０水和物の融点は３２℃である。なお、蓄熱手段２は、少なくとも融点の異なる２つの潜熱蓄熱材を用いて構成されていればよく、融点の異なる３つ以上の潜熱蓄熱材を用いて構成されていてもよい。なお、熱利用端末へと湯水を供給する温水生成装置として用いる場合、潜熱蓄熱材１ａとして、融点が５８℃の酢酸ナトリウム３水和物を用いることが好ましい。  ３つの潜熱蓄熱材は、最も融点の高い高融点潜熱蓄熱材１ａが第２流量調整弁１１側に、最も融点の低い低融点潜熱蓄熱材１ｃが第１流量調整弁１０側に配置されている。高融点蓄熱材１ａと低融点蓄熱材１ｃとの間には、高融点蓄熱材１ａよりも融点が低く、低融点蓄熱材１ｃよりも融点が高い、中融点蓄熱材１ｂが配置されている。すなわち、融点の異なる複数の潜熱蓄熱材（１ａ、１ｂ、１ｃ）は、融点の高いものから低いものに順に配置されている。これにより、熱媒体は、融点が異なる複数の潜熱蓄熱材（１ａ、１ｂ、１ｃ）と順に熱交換するように流れる。
【００７１】
次に、温水生成装置１００の動作について説明する。この温水生成装置１００は、加熱手段８で水を加熱して温水を生成し、生成された温水によって蓄熱手段２に蓄熱する蓄熱運転を実行することができる。また、この温水生成装置１００は、熱媒体を加熱して温水を生成する複数の加熱運転を実行することができる。複数の加熱運転は、蓄熱手段１５によって水を加熱する第１加熱運転、加熱手段８と蓄熱手段１５との双方を用いて水を加熱する第２加熱運転を含む。各運転の制御は、制御装置２５によって行われる。
【００７２】
蓄熱運転において、制御装置２５は、図４の破線矢印の方向に水が流れるように、ポンプ９、第１流量調整弁１０と第２流量調整弁１１を制御する。これにより、水は、加熱配管１４と蓄熱配管１５とが環状に接続された蓄熱回路を循環する。
【００７３】
また、蓄熱運転において、制御装置２５は、圧縮機７、減圧手段５、ファンを制御して、熱媒体熱交換器３に高温高圧の冷媒を供給する。
【００７４】
熱媒体熱交換器３で高温高圧の冷媒と熱交換して生成され、所定の加熱温度まで加熱されたた高温の熱媒体（高温水）は、加熱配管１４を流れ、第２流量調整弁１１を介して蓄熱配管１５に流入する。蓄熱配管１５を流れる温水は、蓄熱手段２において、高融点蓄熱材１ａ、中融点蓄熱材１ｂ、低融点蓄熱材１ｃと順に熱交換する。これにより、それぞれの潜熱蓄熱材（１ａ、１ｂ、１ｃ）に蓄熱が行われる。蓄熱手段２を流れる間に潜熱蓄熱材（１ａ、１ｂ、１ｃ）に放熱して温度が低下した熱媒体（水）は、第１流量調整弁を介して加熱配管１４に流入し、熱媒体熱交換器３にて、再度加熱され温水となる。以上のような動作が繰り返され、熱媒体が蓄熱回路を循環することで蓄熱手段への蓄熱が行われる。
【００７５】
蓄熱手段２に蓄熱された熱を用いて水を加熱し、温水を生成する第１加熱運転において、制御装置２５は、図４の実践矢印の方向に水が流れるように、第１流量調整弁１０と第２流量調整弁１１とを制御する。これにより、水は、給水配管１２、蓄熱配管１５、給湯配管１３を順に流れる。蓄熱配管１５を流れる水は、蓄熱手段２において、低融点蓄熱材１ｃ、中融点蓄熱材１ｂ、高融点蓄熱材１ａと順に熱交換して加熱される。蓄熱手段２で加熱されて生成された温水は、第２流量調整弁１１を介して給湯配管１３へと流れ、熱利用端末へと供給される。
【００７６】
加熱手段８と蓄熱手段１５との双方を用いて水を加熱し、温水を生成する第２加熱運転において、制御装置２５は、図４の一点鎖線矢印の方向に水が流れるように第１流量調整弁１０と第２流量調整弁とを制御する。このとき、ポンプ９を動作させてもよい。これにより、給水配管１２を流れた水は、第１流量調整手段１０を介して加熱配管１４と蓄熱配
管１５との双方に分岐して流れる。加熱配管１４を流れる水は加熱手段８で加熱されて温水となり、蓄熱配管１５を流れる水は蓄熱手段で加熱されて温水となる。加熱手段８で生成された温水と、蓄熱手段２で生成された温水とは、第２の流量設定手段１１で混合され、給湯配管１３に流入する。
【００７７】
ここで、複数の潜熱蓄熱材（１ａ、１ｂ、１ｃ）のそれぞれは、蓄熱運転及び第１加熱運転において、水の流れ方向に対して上流側の潜熱蓄熱材の相変化が下流側の潜熱蓄熱材の相変化よりも前に終了するように構成されている。
【００７８】
すなわち、蓄熱運転において、複数の潜熱蓄熱材（１ａ、１ｂ、１ｃ）のそれぞれは、融点の低い潜熱蓄熱材の相変化が、融点の高い潜熱蓄熱材の相変化と同時またはそれよりも後に終了するように構成されている。また、第１加熱運転において、複数の潜熱蓄熱材（１ａ、１ｂ、１ｃ）のそれぞれは、融点の高い潜熱蓄熱材の相変化が、融点の低い潜熱蓄熱材の相変化と同時またはそれよりも後に終了するように構成されている。また、第２加熱運転において、複数の潜熱蓄熱材（１ａ、１ｂ、１ｃ）のそれぞれは、融点の高い潜熱蓄熱材の相変化が、融点の低い潜熱蓄熱材の相変化と同時またはそれよりも後に終了するように構成されている。
【００７９】
具体的には、複数の潜熱蓄熱材（１ａ、１ｂ、１ｃ）は、蓄熱運転及び第１加熱運転において、下記の数式１を満たすように構成されている。
【００８０】
【数１】
2015175582.tif 000003
ここで、ｎ：水の流れ方向においてｎ番目に配置された潜熱蓄熱材、ρ：潜熱蓄熱材の密度ｋｇ／Ｌ、Ｖ：潜熱蓄熱材の容量Ｌ、ΔＨ：潜熱蓄熱材の単位重量当たりの潜熱ｋＪ／ｋｇ、Ｇ：水の重量流量  ｋｇ／ｈ、Ｃｐ：水の比熱  ｋＪ／（ｋｇ・Ｋ）、Ｔｉ：潜熱蓄熱材の入口の水温℃、Ｔｏ：潜熱蓄熱材の出口の水温℃である。なお、蓄熱手段２において、潜熱蓄熱材（１ａ、１ｂ、１ｃ）は、順にならんで配置されている。したがって、ｎ番目の潜熱蓄熱材の出口温度Ｔｏｎとｎ＋１番目の潜熱蓄熱材の入口温度Ｔｉｎ＋１は等しくなる。
【００８１】
潜熱蓄熱材の潜熱ΔＨと重量ρＶとの積は、蓄熱材の蓄熱容量Ｑを示す。また、水の重量流量Ｇと水の比熱Ｃｐ、及び、潜熱蓄熱材の入口の水の温度（入口温度）と出口の水の温度（出口温度）との温度差Ｔｉ−Ｔｏの積は、熱媒体と潜熱蓄熱材の間の単位時間当たりの熱交換量Ｐを示す。なお、潜熱蓄熱材と熱媒体との単位時間当たりの熱交換量は、潜熱蓄熱材と熱媒体との間の伝熱面積や、潜熱蓄熱材の材料及び熱媒体流路の形状によって調整できる。
【００８２】
以上から、数式１の左辺及び右辺は、潜熱蓄熱材の蓄熱容量Ｑを単位時間当たりの熱交換量Ｐで除した値であって、潜熱蓄熱材の相変化が終了するまでの時間を示している。数式１を満たすことにより、蓄熱手段２において隣接する２つの潜熱蓄熱材は、蓄熱手段２を流れる水の流れ方向に対して、上流側の相変化が先に終了する。蓄熱手段２を構成する潜熱蓄熱材のそれぞれを、数式１の関係を満たすように構成すると、融点の異なる複数の潜熱蓄熱材（１ａ、１ｂ、１ｃ）の相変化が、水の流れ方向に対して上流側から順に終了していく。これにより、各潜熱蓄熱材の蓄熱量を有効に使用しながら、蓄熱運転及び第１加熱運転を実行することができる。
【００８３】
ここで、隣接した２つの潜熱蓄熱材において、融点の高い方の第１潜熱蓄熱材の蓄熱容量をＱｈ、融点の低い方の第２潜熱蓄熱材の蓄熱容量をＱｌとする。また、蓄熱運転又は第１加熱運転での、第１潜熱蓄熱材と水との単位時間当たりの熱交換量をＰｈ、第２潜熱蓄熱材と水との単位時間当たりの熱交換量をＰｌとする。蓄熱運転においては、Ｑｈ／Ｐｈ≦Ｑｌ／Ｐｌが成り立つ。これにより、本実施の形態の温水生成装置では、蓄熱運転において、低融点蓄熱材１ｃの融解時間が最も長くなる。また、第１加熱運転においては、Ｑｌ／Ｐｌ≦Ｑｈ／Ｐｈが成り立つ。これにより、本実施の形態の温水生成装置では、第１加熱運転において、高融点蓄熱材１ａの凝固時間が最も長くなる。
【００８４】
なお、３つ以上の潜熱蓄熱材（１ａ、１ｂ、１ｃ）を用いて蓄熱手段２を構成した場合には、水の流れ方向に対して最も下流側の潜熱蓄熱材よりも上流側の潜熱蓄熱材を、下記の数式を満たすように構成してもよい。
【００８５】
【数２】
2015175582.tif 000004
ここで、Ｔｍ：潜熱蓄熱材の融点℃である。すなわち、潜熱蓄熱材の潜熱ΔＨと重量ρＶとの積は、蓄熱材の蓄熱容量Ｑを示す。また、水の重量流量Ｇと水の比熱Ｃｐ、及び、潜熱蓄熱材の融点の温度差の積は、熱媒体と潜熱蓄熱材の間の単位時間当たりの熱交換量Ｐ´を示す。以上から、数式２の左辺及び右辺は、潜熱蓄熱材の蓄熱容量Ｑを単位時間当たりの熱交換量Ｐ´で除した値であって、潜熱蓄熱材の相変化が終了するまでの時間を示している。
【００８６】
上記数式１又は数式２の条件を満足するために、本実施の形態の蓄熱手段２は、高融点蓄熱材１ａとして、融点５８℃の酢酸ナトリウム３水和物を用いた。また、中融点蓄熱材１ｂとして、融点３２℃の硫酸ナトリウム１０水和物を用いた。さらに、低融点蓄熱材１ｃとして、融点２０℃の硫酸ナトリウム１０水和物と添加剤との混合物を用いた。また、潜熱蓄熱材の総体積を１としたとき、高融点蓄熱材１ａ、中融点蓄熱材１ｂ、低融点蓄熱材１ｃが占める体積割合を、それぞれ、３８ｖｏｌ％、３８ｖｏｌ％、２４ｖｏｌ％とした。また、高融点蓄熱材１ａの蓄熱容量Ｑａは約２６４ｋＪ／ｋｇ、中融点蓄熱材１ｂの蓄熱容量Ｑｂと低融点蓄熱材１ｃの蓄熱容量Ｑｃは約２５１ｋＪ／ｋｇとした。
【００８７】
図５は、上記蓄熱手段２を用いて蓄熱運転を行い、蓄熱完了後に放熱運転（第１加熱運転）に切り替えた場合の温度変化を示す。なお、蓄熱運転は、蓄熱手段２の高融点蓄熱材１ａに流入する水の入口温度を９０℃とし、低融点蓄熱材１ｃから流出する水の出口温度が６０℃に達するまで行い、第一加熱運転は低融点蓄熱材１ｃに流入する水の入口温度を１０℃とし、高融点蓄熱材１ａから流出する水の温度が４０℃になるまで行った。また、高融点蓄熱材１ａに流入する水の入口温度を９０℃とし、蓄熱運転の終了時に入口温度を８０℃に低下させた。第一加熱運転は低融点蓄熱材１ｃに流入する水の入口温度を１０℃とし、高融点蓄熱材１ａから流出する水の温度が４０℃になるまで行った。
【００８８】
蓄熱時には、次のような温度変化を示す。まず、蓄熱運転時に最も上流側となる高融点蓄熱材１ａが、湯水の流入とともに顕熱蓄熱しながら温度上昇するので高融点蓄熱材１ａの出口温度も上昇していく。高融点蓄熱材１ａが潜熱蓄熱領域に入ると温度上昇がなくなるので、高融点蓄熱材１ａの上流側から潜熱領域に入り、やがて高融点蓄熱材１ａ全体が潜熱蓄熱領域に入ると温度変化がなくなるため、高融点蓄熱材１ａの出口温度の上昇もな
くなる。このとき蓄熱が効率よく進んでいれば、高融点蓄熱材１ａの出口温度は、ほぼ高融点蓄熱材１ａの融点と同等になる。さらに蓄熱が進むと、高融点蓄熱材１ａは、相変化が終了して（時刻Ｔｈ１）、潜熱蓄熱領域から顕熱蓄熱領域に入り、上流側から再び温度上昇し始め、それに伴い高融点蓄熱材１ａの出口温度も上昇する。
【００８９】
中融点蓄熱材１ｂも、高融点蓄熱材１ａと同様の過程を経るが、中融点蓄熱材１ｂに流入する熱媒体（水）は、高融点蓄熱材１ａへの放熱後の水であるため、その温度（入口温度）は、高融点蓄熱材１ａの出口温度に応じて徐々に上昇する。したがって、中融点蓄熱材１ｂが、潜熱領域に到達するのは、高融点蓄熱材１ａ全体が潜熱蓄熱領域に到達した後である。よって、その間、中融点蓄熱材１ｂの顕熱蓄熱領域での温度上昇速度は小さい。その後、中融点蓄熱材１ｂは、潜熱蓄熱領域へと移行し、出口温度が一定となる。その後、再び顕蓄熱領域に入り、温度上昇していくが、高融点蓄熱材１ａよりも相変化が終了（時刻Ｔｍ１）する時間は遅い。
【００９０】
低融点蓄熱材１ｃについても同様に、潜熱蓄熱領域へと移行するのは、中融点蓄熱材１ｂが潜熱蓄熱領域へと移行した後である。また、低融点蓄熱材１ｃの相変化が終了（時刻Ｔｌ１）するのは、中融点蓄熱材１ｂの相変化が終了するよりも後になる。
【００９１】
その結果、低融点蓄熱材側１ｃの出口における熱媒体（水）の温度は、潜熱領域での蓄熱が完了する約９０分まで低融点蓄熱材１ｃの融点程度の温度に保たれる。その後、低融点蓄熱材１ｃの相変化が終了すると低融点蓄熱材１ｃの出口の熱媒体（水）の温度が上昇し始め、低融点蓄熱材１ｃの出口の熱媒体の温度が６０℃に到達して蓄熱が完了する。なお、低融点蓄熱材１ｃの出口温度が６０℃以上となっているのは、ポンプ９を停止させて熱媒体回路４内の熱媒体（水）の循環を停止させても、多少量の熱媒体（水）がさらに循環し、また、低融点蓄熱材１ｃに設けられた熱媒体の流路内に熱媒体が残存するので、熱交換が行われるためである。
【００９２】
蓄熱過程において、低融点蓄熱材１ｃより、中融点蓄熱材１ｂまたは高融点蓄熱材１ａが融解（相変化）する時間が長ければ、蓄熱手段２の低融点蓄熱材１ｃの出口温度が低融点蓄熱材１ｃの融点と同等の温度から上昇した後、中融点蓄熱材１ｂまたは高融点蓄熱材１ａの融点と同等の温度で温度上昇勾配が緩くなるという現象が見られるはずであり、この結果は、蓄熱手段低融点側出口温度が低融点蓄熱材１ｃの融点とほぼ同等の温度の状態を長く保つことができていることを示している。
【００９３】
これにより、図５に示すように、高融点蓄熱材１ａ、中融点蓄熱材１ｂ、低融点蓄熱材１ｃの相変化が終了時刻Ｔｈ１、Ｔｍ１、Ｔｌ１はこの順に並ぶ。
【００９４】
一方、放熱時、すなわち、湯を生成する加熱運転時には、蓄熱運転時とは逆に低融点蓄熱材１ｃ側から高融点蓄熱材１ａへと順に熱媒体を流通させる。一般に温水使用時には需要に応じた流量で水を流通させるので、流量を蓄熱時の１０倍としている。
【００９５】
この時、まず低融点蓄熱材１ｃが急激に放熱して潜熱領域に入る。そのため、低融点蓄熱材１ｃの出口温度は急激に低下する。潜熱領域に入ると温度勾配が小さくなり、相変化が終了（時刻Ｔｌ２）すると、再び顕熱領域となって急激な温度低下が始まる。
【００９６】
中融点蓄熱材１ｂには低融点蓄熱材１ｃの放熱によって加熱された水が流入するので、放熱による温度低下は低融点蓄熱材１ｃよりも緩やかとなる。その後、低融点蓄熱材１ｃより遅れて潜熱領域に入る。低融点蓄熱材１ｃによる水への放熱があるので、潜熱領域（相変化）の終了（時刻Ｔｍ２）も低融点蓄熱材１ｃの相変化よりも遅い。その後、再び顕熱領域となって温度が低下する。
【００９７】
高融点蓄熱材１ａには低融点蓄熱材１ｃ及び中融点蓄熱材１ｂによる放熱によって温度上昇した水が流入するため、温度低下はさらに遅くなる。したがって、潜熱領域（相変化）の終了（時刻Ｔｈ２）も、時刻Ｔｍ２よりも遅い。その後、再び顕熱領域となって温度が低下する。
【００９８】
このように、蓄熱手段４の高融点蓄熱材１ａの出口温度を、高融点蓄熱材１ａの融点以上の温度に長く保つことができる。低融点蓄熱材１ｃの出口の熱媒体の温度が６０℃に到達して蓄熱が完了する。
【００９９】
以上のように、本発明の温水生成装置は、蓄熱手段２の水の流れ方向に対して、上流側の潜熱蓄熱材から順に相変化が終了するように構成される。
【０１００】
したがって、蓄熱運転において、複数の潜熱蓄熱材（１ａ、１ｂ、１ｃ）のうち、最も融点の低い潜熱蓄熱材１ｃの相変化が最後に終了する。これにより、熱媒体の保有する熱によって蓄熱する蓄熱運転において、熱媒体が保有する熱を高温域から低温域まで無駄なく熱媒体に蓄熱することができる。その結果、融点の異なる複数の潜熱蓄熱材（１ａ、１ｂ、１ｃ）を有する蓄熱手段４を用いた温水生成装置において、蓄熱手段４に効率よく蓄熱することができる
また、蓄熱運転において、蓄熱手段２から流出する水の温度を低く保つことができる。よって、加熱手段（ヒートポンプ装置）８に流入する水の温度を低く保ちことができる。その結果、熱媒体熱交換器３におけるエンタルピー差を増大させることができ、ＣＯＰが向上する。
【０１０１】
また、第１加熱運転において、複数の潜熱蓄熱材のうち、最も融点の高い潜熱蓄熱材１ａの相変化が最後に終了する。これにより、低融点の潜熱蓄熱材（１ｂ、１ｃ）が保有する潜熱を使い切ることができる。よって、蓄熱手段２に蓄熱された熱量を効率よく利用することができる。その結果、熱利用端末に対して、最後まで温度の高い湯水を供給することができる。なお、第２加熱運転においても、第１加熱運転と同様に、複数の潜熱蓄熱材のうち、最も融点の高い潜熱蓄熱材１ａの相変化が最後に終了するように構成されていることが好ましい。
【０１０２】
なお、本実施の形態においては、蓄熱運転及び第１加熱運転において、蓄熱手段２の水の流れ方向に対して、上流側から下流側に向かって順に相変化が終了するように構成している。しかしながら、少なくとも、最も下流側の潜熱蓄熱材の相変化が、最後に終了するように構成されていればよい。よって、融点が異なる３つ以上の潜熱蓄熱材を用いて蓄熱手段２を構成した場合には、少なくとも、最も下流側の２つの潜熱蓄熱材の間で、数式１の関係が満たされるように構成されていればよい。
【０１０３】
次に、蓄熱運転の制御について説明する。なお、実施の形態１における蓄熱運転の制御と同様の部分については説明を省略する。
【０１０４】
本実施の形態における蓄熱装置５０は、融点の異なる複数の潜熱蓄熱材（１ａ、１ｂ、１ｃ）を有している。制御装置２５は、蓄熱運転時に、まず、蓄熱対象となる潜熱蓄熱材を決定する。例えば、温水の使用量が相対的に多い冬季には、複数の潜熱蓄熱材（１ａ、１ｂ、１ｃ）の全てを蓄熱対象とし、温水の使用量が相対的に多い夏季には、融点の低い潜熱蓄熱材（１ｂ、１ｃ）を蓄熱対象として決定する。
【０１０５】
制御装置２５は、蓄熱運転のうち、特に定常動作において、加熱手段８によって加熱される熱媒体の目標温度（加熱温度）Ｔｇを、蓄熱対象とした潜熱蓄熱材（１ａ、１ｂ、１
ｃ）の融点のうち、もっとも高い融点（第１融点）よりも所定温度（例えば１０から２０℃）高い温度として設定する。ここで、第１融点よりも高い融点を有する潜熱蓄熱材があるときは、目標温度Ｔｇは、第１融点と、第１融点よりも高い融点との間に設定されることが好ましい。これにより、蓄熱対象ではない潜熱蓄熱材が潜熱領域で熱交換することを抑制し、また、不必要な蓄熱が行われることを防止できる。
【０１０６】
また、制御装置２５は、蓄熱運転中に、潜熱蓄熱材（１ａ、１ｂ、１ｃ）の蓄熱状態に応じて、加熱温度を低下させる場合には、加熱温度Ｔｇを、第１融点よりも高い温度の範囲で、低下させる期間を設けるようにする。これにより、融点が異なる複数の潜熱蓄熱材（１ａ、１ｂ、１ｃ）を用いて蓄熱手段２を構成した場合でも、蓄熱対象とする潜熱蓄熱材に、適切に蓄熱を行うことができる。
【０１０７】
例えば、中融点蓄熱材１ｂと低融点蓄熱材１ｃとを蓄熱対象として、高融点蓄熱材１ａの融点より低く、中融点蓄熱材１ｂの融点より高い温度に熱媒体を加熱すると、蓄熱対象の潜熱蓄熱材（１ｂ、１ｃ）より上流側の蓄熱材（高融点蓄熱材１ａ）は、顕熱蓄熱しながら温度上昇し、蓄熱手段２に流入する熱媒体の温度で一定となる。このとき、熱媒体の温度は、高融点蓄熱材１ａの融点より低いため、高融点蓄熱材１ａは、潜熱領域とはならない。
【０１０８】
一方、蓄熱対象とする潜熱蓄熱材（１ｂ、１ｃ）は、融点よりも高い熱媒体と熱的に接触して熱交換が行われるので、上流側に配置されている中融点蓄熱材１ｂから順に、蓄熱される。このようにして、高融点蓄熱材１ａは潜熱領域に達さず、中融点蓄熱材１ｂ、及び、低融点蓄熱材１ｃを潜熱領域まで到達させ、蓄熱することができる。
【０１０９】
この場合においても、蓄熱手段２の熱媒体の出口温度は徐々に上昇するが、蓄熱運転中に蓄熱手段２に流入する熱媒体の温度を低下させることにより、また、蓄熱運転中に、蓄熱手段２に流入する熱媒体の流量を低下させることにより、蓄熱手段２の熱媒体の出口温度を低く維持することができる。その結果、エネルギー効率のよい蓄熱運転を実現して、省エネルギー性に優れた蓄熱装置５０、温水生成装置１００を提供することができる。
【産業上の利用可能性】
【０１１０】
本発明にかかる蓄熱装置及びそれを備えた温水生成装置は、潜熱蓄熱材を用いた蓄熱手段に効率よく蓄熱をすることができるので、家庭用、業務用の給湯装置、温水暖房装置として適用することができる。
【符号の説明】
【０１１１】
１  潜熱蓄熱材
１ａ  高融点蓄熱材
１ｂ  中融点蓄熱材
１ｃ  低融点蓄熱材
２  蓄熱手段
３  熱媒体熱交換器（放熱器）
４  熱媒体回路
５  減圧手段（膨張弁）
６  熱源側熱交換器（蒸発器）
７  圧縮機
８  加熱手段（ヒートポンプ装置）
９  搬送手段（ポンプ）
１０  第１流量調整手段
１１  第２流量調整手段
１２  給水配管
１３  給湯配管
１４  加熱配管
１５  蓄熱配管
２０  第１温度検出手段
２１  第２温度検出手段
２２  流量検出手段
２５  制御装置
５０  蓄熱装置
１００  温水生成装置
【図１】
2015175582.tif 000005
【図２】
2015175582.tif 000006
【図３】
2015175582.tif 000007
【図４】
2015175582.tif 000008
【図５】
2015175582.tif 000009